(57)【要約】【課題】  物品が収納されている什器の場所を利用者が容易に特定できる物品情報の読出装置を備える什器を提供すること。【解決手段】  前面に形成された開口より、ＲＦＩＤタグが取り付けられた物品が収納可能になっている収納部１０１、１０２、２０１〜２０４を備え、この収納部１０１、１０２、２０１〜２０４には物品情報が記録されたＲＦＩＤタグの情報を読み出す読出装置が備えられる什器１であって、利用者が目的とする物品が収納される什器１を利用者に報知可能な報知装置１２、１１１、１１２、１１５、２１１〜２１５を、什器１における利用者が外部から確認できる位置に設けること。【選択図】  図２
2005144008.tif 000002
【特許請求の範囲】
【請求項１】
前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、利用者が目的とする物品が収納される什器を利用者に報知可能な報知装置を、前記什器における利用者が外部から確認できる位置に設けることを特徴とする物品情報の読出装置を備える什器。
【請求項２】
前記報知装置が、前記什器の前面側の露出部分に設けられている請求項１に記載の物品情報の読出装置を備える什器。
【請求項３】
前記什器は複数の前記収納部を有し、各々の前記収納部に対応して前記報知装置が設けられている請求項１または２に記載の物品情報の読出装置を備える什器。
【請求項４】
前記報知装置が、前記収納部に配置される棚板に設けられている請求項１乃至３のいずれかに記載の物品情報の読出装置を備える什器。
【請求項５】
前記報知装置が照明装置であり、該照明装置が発光することで利用者に報知される請求項１乃至４のいずれかに記載の物品情報の読出装置を備える什器。
【請求項６】
前記照明装置が、物品が収納されている収納部が配置される方向を示すことができる方向指示ランプである請求項５に記載の物品情報の読出装置を備える什器。
【請求項７】
前記方向指示ランプの少なくとも一部が、正面視略三角形状をしており、利用者に対して特定の方向を示すことができる請求項６に記載の物品情報の読出装置を備える什器。
【請求項８】
前記報知装置が音響装置であり、該音響装置が音を発することで利用者に報知される請求項１乃至４のいずれかに記載の物品情報の読出装置を備える什器。
【発明の詳細な説明】
【技術分野】
【０００１】
本発明は、物品情報が記録されたＲＦＩＤタグの情報を読み出すための読出装置を備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照）。
【０００４】
【特許文献１】特開平７−１８２３５７号公報（段落００１１−００２２、第１−３図）
【発明の開示】
【発明が解決しようとする課題】
【０００５】
しかしながら、上記特許文献１のように物品情報によって什器に収納される物品の管理を行うものにおいて、このような什器が複数設置されているときに、利用者が実際に什器から物品を取り出す場合には、何処に配置されている什器に取り出したい物品が収納されているか分からず、利用者自身で複数の什器から目的の物品が収納されている什器を探し出す必要がある。
【０００６】
そこで本発明は、このような問題点に着目してなされたもので、物品が収納されている什器の場所を利用者が容易に特定できる物品情報の読出装置を備える什器を提供することを目的とする。
【課題を解決するための手段】
【０００７】
上記課題を解決するために、本発明の請求項１に記載の物品情報の読出装置を備える什器は、前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、利用者が目的とする物品が収納される什器を利用者に報知可能な報知装置を、前記什器における利用者が外部から確認できる位置に設けることを特徴としている。
この特徴によれば、報知装置を利用者が外部から確認できる位置に設け、利用者が目的とする物品が収納される什器を利用者に対して報知させることにより、物品が収納される什器の場所を利用者が容易に特定できるようになる。
【０００８】
本発明の請求項２に記載の物品情報の読出装置を備える什器は、請求項１に記載の物品情報の読出装置を備える什器であって、前記報知装置が、前記什器の前面側の露出部分に設けられていることを特徴としている。
この特徴によれば、什器の前面側の露出部分に報知装置が設けられているため、物品が収納される什器の報知装置が作動した際に、該当する報知装置を利用者が認識し易くなる。
【０００９】
本発明の請求項３に記載の物品情報の読出装置を備える什器は、請求項１または２に記載の物品情報の読出装置を備える什器であって、前記什器は複数の前記収納部を有し、各々の前記収納部に対応して前記報知装置が設けられていることを特徴としている。
この特徴によれば、複数の収納部の中から利用者が目的とする物品が収納される収納部の報知が行えるようになるので、物品が収納される収納部を利用者が特定できるようになる。
【００１０】
本発明の請求項４に記載の物品情報の読出装置を備える什器は、請求項１乃至３のいずれかに記載の物品情報の読出装置を備える什器であって、前記報知装置が、前記収納部に配置される棚板に設けられていることを特徴としている。
この特徴によれば、物品が置かれる収納部の棚板に報知装置が設けられることで、棚板毎の報知も可能であり、利用者が目的とする物品の存在箇所を認識し易くなっている。
【００１１】
本発明の請求項５に記載の物品情報の読出装置を備える什器は、請求項１乃至４のいずれかに記載の物品情報の読出装置を備える什器であって、前記報知装置が照明装置であり、該照明装置が発光することで利用者に報知されることを特徴としている。
この特徴によれば、照明装置が発光するたけで利用者が目的とする物品が収納される什器を報知でき、利用者が視認により什器を特定できるようになる。
【００１２】
本発明の請求項６に記載の物品情報の読出装置を備える什器は、請求項５に記載の物品情報の読出装置を備える什器であって、前記照明装置が、物品が収納されている収納部が配置される方向を示すことができる方向指示ランプであることを特徴としている。
この特徴によれば、方向指示ランプが発光するだけで、利用者が目的とする物品が収納される収納部を示すことができるようになり、利用者が容易に目的とする収納部を特定できるようになる。
【００１３】
本発明の請求項７に記載の物品情報の読出装置を備える什器は、請求項６に記載の物品情報の読出装置を備える什器であって、前記方向指示ランプの少なくとも一部が、正面視略三角形状をしており、利用者に対して特定の方向を示すことができることを特徴としている。
この特徴によれば、方向指示ランプが正面視略三角形状をしていることによって、方向指示ランプが示す方向を利用者がより認識し易くなる。
【００１４】
本発明の請求項８に記載の物品情報の読出装置を備える什器は、請求項１乃至４のいずれかに記載の物品情報の読出装置を備える什器であって、前記報知装置が音響装置であり、該音響装置が音を発することで利用者に報知されることを特徴としている。
この特徴によれば、利用者が目的とする物品が収納される什器が、利用者から見えない位置にあっても、物品が収納される什器を音によって利用者に対して報知させることができるようになる。
【発明を実施するための最良の形態】
【００１５】
本発明の実施例を以下に説明する。
【実施例１】
【００１６】
本発明の実施例を図面に基づいて説明すると、先ず図１は、本発明の実施例１における什器１が適用された物品管理システムの構成を示す図である。
【００１７】
図１に示されるように、物品７が収納される什器１は複数設置（本実施例では３台設置）されていて、これら什器１は通信ケーブル２を介して中継装置１１に接続されており、中継装置１１は通信ケーブル２を介して什器アンテナ１０に接続されている。
【００１８】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１９】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００２０】
什器１はラテラル２００の上部に書庫１００を載置した構成となっており、書庫１００には上棚収納部１０１と下棚収納部１０２が形成され、ラテラル２００には引き出し２０１、２０２、２０３、２０４が備えられていて、これら上棚収納部１０１や下棚収納部１０２や引き出し２０１、２０２、２０３、２０４には、ファイルやカルテ等の書類を収納するファイルケースや書籍等の物品７が収納されている。什器１に収納されるファイルケースや書籍等の物品７には、個々にＲＦＩＤタグ４０が貼付されている。
【００２１】
尚、物品７とは、識別可能な物の単位（例えば、箱、書籍等）であり、ＲＦＩＤ（Ｒａｄｉｏ  Ｆｒｅｑｕｅｎｃｙ  ＩＤｅｎｔｉｆｉｃａｔｉｏｎ、無線による識別）タグとは、ＩＣチップ（図示略）と、このＩＣチップに記憶された物品情報を送受信可能な無線アンテナ（図示略）と、から構成されている。
【００２２】
書庫１００の上棚収納部１０１や下棚収納部１０２や引き出し２０１、２０２、２０３、２０４には、本発明の読出装置を構成するＲＦＩＤアンテナ４１、４４が配設されており、ＲＦＩＤタグ４０から発信される電磁波を受信可能になっている。このＲＦＩＤアンテナ４１、４４は、上棚収納部１０１や下棚収納部１０２や引き出し２０１、２０２、２０３、２０４内部の背面板１７や仕切板５０などに設けられていて、上棚収納部１０１や下棚収納部１０２や引き出し２０１、２０２、２０３、２０４内部のそれぞれに収納される物品７に取り付けられたＲＦＩＤタグ４０に記憶されている物品情報を電磁波を介して読み出すことができる。
【００２３】
そして、ＲＦＩＤアンテナ４１、４４は、通信ケーブル２、中継装置１１、什器アンテナ１０、管理アンテナ９を介して管理コンピュータ３に接続されており、これら什器１に収納されるＲＦＩＤタグ４０の物品情報のデータが管理コンピュータ３に送信されることで、管理コンピュータ３を用いて複数の什器１に収納される物品７の管理を一元的に行えるようになっている。
【００２４】
また、後述において詳述するが、什器１の上部には、本発明の報知装置としての什器ランプ１２が取り付けられていて、書庫１００には、解錠ランプ１１５、施解錠装置１１７、スピーカ１１６、上棚指示ランプ１１１、下棚指示ランプ１１２が設けられているとともに、ラテラル２００には、解錠ランプ２１５、施解錠装置２１７、スピーカ２１６、引き出し指示ランプ２１１、２１２、２１３、２１４が設けられており、前述のＲＦＩＤアンテナ４１、４４と同様に通信ケーブル２、中継装置１１、什器アンテナ１０、管理アンテナ９を介して、管理コンピュータ３に接続されており、管理コンピュータ３で一元的に什器１が制御されるようになっている。
【００２５】
図２は、什器１を示す正面図であり、この図２に示されるように、書庫１００の上棚収納部１０１や下棚収納部１０２には、引戸２３、２４が前面側（本実施例では、什器１に向かって手前側を前面とする）に設けられており、この引戸２３、２４は左右方向に開閉可能な三連式の引戸構造になっていて、この引戸２３、２４のそれぞれの左右端部には、手掛部２３ａ、２３ｂ、２４ａ、２４ｂが設けられている。
【００２６】
更に、図２に示されるように、書庫１００の収納部は中段の棚板２５によって、上棚収納部１０１と下棚収納部１０２とに区分けされており、ＲＦＩＤタグ４０が取り付けられた物品７を上棚収納部１０１または下棚収納部１０２に収納できるようになっている。中段の棚板２５には上棚指示ランプ１１１、下棚指示ランプ１１２が設けられており、管理コンピュータ３からの制御データに基づいて、上棚指示ランプ１１１、下棚指示ランプ１１２の点灯及び消灯が制御されるようになっている。
【００２７】
この上棚指示ランプ１１１、下棚指示ランプ１１２は、正面視三角形状をしている本発明の方向指示ランプであり、上棚指示ランプ１１１は書庫１００の上方に配置されている収納部としての上棚収納部１０１の方向を示すことができるとともに、下棚指示ランプ１１２は書庫１００の下方に配置されている収納部としての下棚収納部１０２の方向を示すことができるようになっている。上棚指示ランプ１１１、下棚指示ランプ１１２が三角形状をしていることにより、上棚指示ランプ１１１、下棚指示ランプ１１２が示す方向を利用者がより認識し易くなっている。
【００２８】
また、上棚指示ランプ１１１、下棚指示ランプ１１２が中段の棚板２５の前面側の露出部分に設けられているため、上棚指示ランプ１１１、下棚指示ランプ１１２が点灯した際に、利用者が上棚指示ランプ１１１、下棚指示ランプ１１２を視認し易くなっている。
【００２９】
更に、ラテラル２００の引き出し２０１、２０２、２０３、２０４の前面側には、取手２２０が設けられており、引き出し２０１、２０２、２０３、２０４を前面側に引き出すことができるようになっている。取手２２０の上部位置には、それぞれの引き出しに対応して本発明の報知装置としての引き出し指示ランプ２１１、２１２、２１３、２１４が設けられており、管理コンピュータ３からの制御データに基づいて、これら引き出し指示ランプ２１１、２１２、２１３、２１４の点灯及び消灯が制御されるようになっている。
【００３０】
また、図２に示されるように、書庫１００の前面側下方には右側より、解錠ランプ１１５、施解錠装置１１７、スピーカ１１６が設けられていて、ラテラル２００の前面側下方にも右側より、解錠ランプ２１５、施解錠装置２１７、スピーカ２１６が設けられている。施解錠装置１１７、２１７は、電気的な操作で施解錠を行う電動アクチュエータ（図示略）を有する電子錠であり、利用者が鍵を使用することで手動によって外部から施解錠させることができるとともに、管理コンピュータ３からの制御データに基づいて、引戸２３、２４及び引き出し２０１、２０２、２０３、２０４の施解錠ができるようになっている。
【００３１】
引戸２３、２４及び引き出し２０１、２０２、２０３、２０４の解錠が行われると解錠ランプ１１５、２１５が点灯し、旋錠が行われると解錠ランプ１１５、２１５が消灯するようになっている。解錠ランプ１１５、２１５は、利用者が目的とする物品７が該当する什器１に存在することを報知することができるので、本発明の報知装置として使用することができる。本発明の音響装置としてのスピーカ１１６、２１６は音による報知装置として設けられており、ブザー音や音声等を用いて報知ができるようになっている。
【００３２】
書庫１００について図３を用いて詳述すると、図３は、図２における書庫１００のＡ−Ａ線の縦断側面図である。この書庫１００は、上面板１６、背面板１７、側面板１９、下段の棚板２６から構成されていて、書庫１００の内部空間は中段の棚板２５によって上下に区画され、上棚収納部１０１、下棚収納部１０２が形成されている。各々の収納部１０１、１０２の後方側には、硬質プラスチック製で形成された背面スペーサ１８が取り付けられていて、これら背面スペーサ１８には、物品７に貼り付けられたＲＦＩＤタグ４０の読出装置に相当するＲＦＩＤアンテナ４１が配設されている。
【００３３】
背面スペーサ１８は、背面板１７から所定の間隔を開けて配置されており、更にＲＦＩＤアンテナ４１は、上面板１６、側面板１９、中段の棚板２５、下段の棚板２６から所定の間隔が開けられて背面スペーサ１８に取り付けられている。そのためＲＦＩＤアンテナ４１が金属製の部材（電磁遮蔽材）で構成された上面板１６、背面板１７、側面板１９、中段の棚板２５、下段の棚板２６から所定間隔離間されるようになり、ＲＦＩＤアンテナ４１からの電磁波が上面板１６、背面板１７、側面板１９、中段の棚板２５、下段の棚板２６に影響されることなくＲＦＩＤタグ４０に受信させることができるとともに、ＲＦＩＤタグ４０からの電磁波を上面板１６、背面板１７、側面板１９、中段の棚板２５、下段の棚板２６に影響されることなくＲＦＩＤアンテナ４１に受信させることができる。
【００３４】
上面板１６、背面板１７、側面板１９、中段の棚板２５、下段の棚板２６は、金属製の薄板が屈曲されて形成されており、上面板１６、背面板１７、側面板１９、中段の棚板２５、下段の棚板２６の内部には、什器ランプ１２、解錠ランプ１１５、スピーカ１１６、施解錠装置１１７、上棚指示ランプ１１１、下棚指示ランプ１１２に電力を供給する電源コード（図示略）やＲＦＩＤアンテナ４１に接続される通信ケーブル２を含む電気ケーブル２０が配設されている。
【００３５】
また、上面板１６、背面板１７、側面板１９、中段の棚板２５、下段の棚板２６が金属製の薄板が屈曲されて形成されていることで、上面板１６、背面板１７、側面板１９、中段の棚板２５、下段の棚板２６の内部に電気ケーブル２０を配線させることができる空間を確保できるようになり、更に、これら確保された空間には、什器１に取り付けられる報知装置などを制御するための制御回路（図示略）や電源回路（図示略）などを配設させることができるようになっている。
【００３６】
ラテラル２００について図４を用いて詳述すると、図４は、図２におけるラテラル２００のＡ−Ａ線の縦断側面図である。このラテラル２００は、引き出し２０１、２０２、２０３、２０４を備えており、金属製の薄板が屈曲されて形成された上面板２０６、背面板２０７、側面板２０９、底板２０８から構成されていて、前面側が開口するように引き出し収納庫２００ａが形成されている。側面板１９には案内レール２２６が４段設けられていて、各々の引き出し２０１、２０２、２０３、２０４の側面に形成された嵌合レール２２７を案内レール２２６に摺動可能に嵌合されることで、引き出し２０１、２０２、２０３、２０４が引き出し収納庫２００ａに収納あるいは搬出される。
【００３７】
上面板２０６から背面板２０７かけては、電源コード（図示略）や通信ケーブル２を含む電気ケーブル２０が配線されており、側面板２０９に設けられた支持具２２５、上面板２０６の前面側に設けられた解錠ランプ２１５、スピーカ２１６、施解錠装置２１７にそれぞれ接続されている。これら電気ケーブル２０の通信ケーブル２は束ねられて外部に配線され中継装置１１に接続されている。
【００３８】
引き出し２０１、２０２、２０３、２０４は金属製の板部材から構成されており、引き出し２０１、２０２、２０３、２０４の内部には、図４中に示す一部が破断された引き出し２０３のように、引き出し２０３内には仕切板５０が設けられており、この仕切板５０にはＲＦＩＤタグ４０の本発明の読出装置に相当するＲＦＩＤアンテナ４４が配設されている。
【００３９】
引き出し２０１、２０２、２０３、２０４の左右の側面には摺動溝２２４が形成され、テンションローラ２２３が摺動溝２２４を介して摺動可能に取り付けられている。また側面には、ワイヤー２２２が内挿される従来公知のコンストンバネ２２１が設けられ、コンストンバネ２２１のワイヤー２２２の端部がテンションローラ２２３の回転軸に接続固定されている。
【００４０】
支持具２２５に接続固定された電気ケーブル２０は、更にテンションローラ２２３に掛け渡され、引き出し２０１、２０２、２０３、２０４の背面側に配線され、ＲＦＩＤアンテナ４４と引き出し指示ランプ２１１、２１２、２１３、２１４にそれぞれ接続配線されている。
【００４１】
電気ケーブル２０の配線構造では、コンストンバネ２２１のワイヤー２２２によって、電気ケーブル２０が掛け渡されるテンションローラ２２３の回転軸が電気ケーブル２０に負荷が掛からない程度の一定の張力をもって吊持されながら、摺動溝２２４を介して摺動される。したがって、引き出し２０１、２０２、２０３、２０４の収納時、および引き出し時においても、テンションローラ２２３に掛け渡される電気ケーブル２０は撓むことなく一定の張力をもってラテラル２００内に配線される構成になっている。
【００４２】
各々の引き出し２０１、２０２、２０３、２０４に対応して指示ランプ２１１、２１２、２１３、２１４が設けられていることで、複数の引き出し２０１、２０２、２０３、２０４中から利用者が目的とする物品７が収納される引き出し２０１、２０２、２０３、２０４の報知が行えるようになるので、物品７が収納される引き出し２０１、２０２、２０３、２０４を利用者が容易に特定できるようになっている。
【００４３】
そこで、本実施例の什器１が適用された物品管理システムの使用方法の一例である物品の貸出方法を説明すると、物品７の貸出しを希望する利用者によって、図１に示される入力端末４より所望の物品７がリストアップされ、貸出し予約が行われる。
【００４４】
管理コンピュータ３は入力端末４からの貸出し予約に基づいて、該当する物品７が収納される什器１の収納場所（本実施例においては書庫１００の下棚収納部１０２とする）を特定する。そして、管理コンピュータ３は特定された収納場所である書庫１００の施解錠装置１１７に解錠信号を、什器ランプ１２と解錠ランプ１１５と下棚指示ランプ１１２に点灯信号を、スピーカ１１６に作動信号を送信する。
【００４５】
管理コンピュータ３からの解錠信号に基づいて施解錠装置１１７が解錠され、点灯信号に基づいて図２に示されるように、什器ランプ１２と解錠ランプ１１５と下棚指示ランプ１１２が点灯され、スピーカ１１６からはブザー音が発生する。そこで、什器ランプ１２または解錠ランプ１１５の点灯を目印に物品７が収納されている什器１がある場所まで利用者に移動してもらう。また、利用者が目的とする什器１が、利用者から見えない位置にあっても、物品７が収納される什器１が配置されている場所をスピーカ１１６を用いて報知させることができるようになっている。
【００４６】
下棚指示ランプ１１２が予め管理コンピュータ３からの点灯信号に基づいて点灯していることから、利用者に対して下棚収納部１０２に貸出し予約された物品７がある旨の報知がされる。そして、解錠信号によって解錠された引戸２４を利用者に開放してもらう。棚板２５に設けられた下棚指示ランプ１１２が点灯することにより、下棚収納部１０２内に置かれる物品７に近い位置で報知がなされるので、利用者が目的とする物品７を認識し易くなっている。
【００４７】
利用者によって貸出し予約された物品７が下棚収納部１０２から取り出されると、下棚収納部１０２に配設されたＲＦＩＤアンテナ４１が物品７に貼付されたＲＦＩＤタグ４０からの電磁波が受信できなくなるので、管理コンピュータ３は物品７の貸出しが行われたと判断し、貸出し完了となる。
【００４８】
また、利用者が誤って貸出し予約した物品７とは違う物品７を下棚収納部１０２から取り出した場合や、下棚収納部１０２に貸出し予約した物品７とは違う他の物品７が収納された場合には、管理コンピュータ３から下棚指示ランプ１１２やスピーカ１１６、解錠ランプ１１５に対してエラー信号を送信し、ランプの点滅やブザーによる報知を行うことで、利用者や管理者にエラー報知を行うようになっている。
【００４９】
本発明の物品情報の読出装置を備える什器によれば、ＲＦＩＤタグ４０が貼り付けられた物品７の物品情報を什器１に備えられたＲＦＩＤアンテナ４１、４４を用いて読み出すことで、利用者が目的とする物品７が収納されている什器１を管理コンピュータ３が特定し、利用者が外部から確認できる位置に設けられた什器ランプ１２を点灯させることで、目的とする物品７が収納される什器１がどこにあるのかを利用者に対して報知させることにより、什器が配置されている場所を利用者が容易に特定できるようになっている。
【００５０】
また、本発明の報知装置として什器ランプ１２や解錠ランプ１１５、２１５や上棚指示ランプ１１１、下棚指示ランプ１１２や引き出し指示ランプ２１１、２１２、２１３、２１４などの照明装置が用いられていることにより、これら照明装置が発光するたけで利用者が目的とする物品７が収納される什器１を報知できるので、利用者が視認により什器を特定できるようになっている。また、図書館などの静かな場所で本発明の什器を使用する際には、照明装置のみを使用して報知させることが有効である。
【００５１】
尚、上記実施例では、報知装置として照明装置のランプを用いたが、本発明はこれに限定されるものではなく、報知装置として液晶モニターなどの画面表示装置を什器に取り付けて報知させるようにしてもよく、このような画面表示装置を用いることで、画面表示装置に什器に収納される物品の詳細な情報を表示させるようにしてもよい。
【００５２】
更に、本発明の報知装置としてスピーカ１１６、２１６などの音響装置が用いられていることにより、例えば、点字図書館などで本発明の什器１を使用した際に、目の不自由な方が目的とする物品７が収納された什器１までスピーカ１１６、２１６から発生する音を頼りにたどり着けるようになる。
【００５３】
尚、上記実施例では、スピーカ１１６、２１６からブザー音が発生することで報知されていたが、本発明はこれに限定されるものではなく、例えば、報知させる際に、音楽がスピーカ１１６、２１６から流れるようにしてもよいし、「ご使用になりたい物品は２番目の什器の３番目の引き出しに収納されています。」などの音声によるアナウンスがスピーカ１１６、２１６から流れることで、利用者に対して目的とする物品が収納されている場所を報知するようにしてもよい。
【実施例２】
【００５４】
次に、実施例２に係る物品情報の読出装置を備える什器につき、図５を参照して説明する。なお、上記実施形態と同一構成で重複する構成を省略する。図５は、本発明の実施例２における書庫２３０の正面図である。
【００５５】
この図２に示されるように、書庫２３０には、ガラス扉２３１が前面側に設けられており、このガラス扉２３１は左右方向に開閉可能な三連式の引戸構造になっている。ガラス扉２３１の下部には横桟２３２、２３３、２３４が設けられており、左右の横桟２３２、２３４のそれぞれの左右端部には、手掛部２３５、２３６が設けられている。
【００５６】
更に、図２に示されるように、書庫２３０の収納部は中段の棚板２３７によって、上棚収納部２３８と下棚収納部２３９とに区分けされており、ＲＦＩＤタグが取り付けられた物品７’を上棚収納部２３８または下棚収納部２３９に収納できるようになっている。中段の棚板２３７の前面側には上棚指示ランプ２４０、下棚指示ランプ２４１が設けられており、管理コンピュータからの制御データに基づいて、上棚指示ランプ２４０、下棚指示ランプ２４１の点灯及び消灯が制御されるようになっている。
【００５７】
中段の棚板２３７は、ガラス扉２３１を透して什器の前面から見えるようになっており、中段の棚板２３７の前面側に設けられている上棚指示ランプ２４０、下棚指示ランプ２４１が什器の外部から見えるようになっている。この上棚指示ランプ２４０または下棚指示ランプ２４１が点灯することによって、該当する什器に利用者が目的とする物品７’が収納されていることを報知することができるようになっている。
【実施例３】
【００５８】
次に、実施例３に係る物品情報の読出装置を備える什器につき、図６を参照して説明する。なお、上記実施形態と同一構成で重複する構成を省略する。図６は、本発明の実施例３における方向指示ランプの正面図である。
【００５９】
図６に示されるように、書庫に設けられている中段の棚板３０１の前面側には、本発明の方向指示ランプとしての上棚指示ランプ３０２、下棚指示ランプ３０３が取り付けられている。この上棚指示ランプ３０２、下棚指示ランプ３０３は正面視で矢印形状をしていおり、上棚指示ランプ３０２は書庫の上方に配置されている収納部としての上棚収納部の方向を示すことができるとともに、下棚指示ランプ３０３は書庫の下方に配置されている収納部としての下棚収納部の方向を示すことができるようになっている。そして、下棚指示ランプ３０３が点灯することにより、利用者は下棚収納部に目的とする物品が収納されていることを容易に認識することができる。
【実施例４】
【００６０】
次に、実施例４に係る物品情報の読出装置を備える什器につき、図７を参照して説明する。なお、上記実施形態と同一構成で重複する構成を省略する。本発明の実施例４における方向指示ランプの正面図である。
【００６１】
図７に示されるように、書庫に設けられている中段の棚板４０１の前面側には、本発明の方向指示ランプとしての上棚指示ランプ４０２、下棚指示ランプ４０３が取り付けられている。この上棚指示ランプ４０２、下棚指示ランプ４０３は正面視でＶ字形状をしていおり、上棚指示ランプ４０２は書庫の上方に配置されている収納部としての上棚収納部の方向を示すことができるとともに、下棚指示ランプ４０３は書庫の下方に配置されている収納部としての下棚収納部の方向を示すことができるようになっている。そして、下棚指示ランプ４０３が点灯することにより、利用者は下棚収納部に目的とする物品が収納されていることを容易に認識することができる。
【００６２】
以上、本発明の実施例を図面により説明してきたが、具体的な構成はこれら実施例に限られるものではなく、本発明の要旨を逸脱しない範囲における変更や追加があっても本発明に含まれる。
【００６３】
例えば、上記実施例では、貸出や返却を行う際に、報知装置としての照明装置が点灯することで報知していたが、本発明はこれに限定されるものではなく、照明装置が点滅または照明装置の色が変化することによって報知するようにしてもよい。
【００６４】
また、報知装置として照明装置や音響装置が用いられていたが、本発明はこれに限定されるものではなく、什器の一部に「開」と「閉」の文字が切替わって表示できるような表示装置を用いて、利用者が目的とする物品が収納される什器の報知を行うようにしてもよいし、什器の一部に青色や赤色などの色を変えて表示できるような表示装置を用いて、利用者が目的とする物品が収納される什器の報知を行うようにしてもよい。
【００６５】
また、上記実施例では、１つの書庫に１つの施解錠装置を備え、１つのラテラルに１つの施解錠装置を備えていたが、本発明はこれに限定されるものではなく、書庫やラテラルに複数設けられている収納部や引き出しの各々に対応させて施解錠装置を設けることで、利用者が許可を受けた物品が収納される収納部や引き出しのみを開放するようにしてもよい。
【００６６】
また、上記実施例では、複数の什器が１つの什器アンテナに通信ケーブルを介して接続されることで、管理アンテナに接続されている管理コンピュータと通信を行う構成となっていたが、本発明はこれに限定されるものではなく、複数の什器が各々に什器アンテナを備え、無線ＬＡＮやブルートゥース（Ｒ）などの短距離無線通信技術を用いて管理コンピュータと通信を行う構成としてもよい。
【００６７】
また、上記実施例では、複数の什器が１台の管理コンピュータと１台の入力端末と１台のＲＦＩＤリーダ／ライタに接続されることで、複数の什器に収納される物品の管理を一元的に行えるようになっているが、本発明はこれに限定されるものではなく、各々の什器が管理コンピュータと入力端末とＲＦＩＤリーダ／ライタを備えることで、それぞれの什器が単独で什器内に収納される物品の管理を行うようにしてもよいし、このような什器を複数台用いてネットワークを介して互いに接続させることで、異なる什器内に収納される物品を一元的に管理できるようにしてもよい。
【図面の簡単な説明】
【００６８】
【図１】本発明の実施例１における什器が適用された物品管理システムの構成を示す図である。
【図２】什器を示す正面図である。
【図３】図２における書庫のＡ−Ａ線の縦断側面図である。
【図４】図２におけるラテラルのＡ−Ａ線の縦断側面図である。
【図５】本発明の実施例２における書庫の正面図である。
【図６】本発明の実施例３における方向指示ランプの正面図である。
【図７】本発明の実施例４における方向指示ランプの正面図である。
【符号の説明】
【００６９】
１                什器
２                通信ケーブル
３                管理コンピュータ
４                入力端末
５                ＲＦＩＤリーダ／ライタ
６                利用者認証カード
７、７’          物品
８                ＬＡＮケーブル
９                管理アンテナ
１０              什器アンテナ
１１              中継装置
１２              什器ランプ（報知装置、照明装置）
１６              上面板
１７              背面板
１８              背面スペーサ
１９              側面板
２０              電気ケーブル
２３、２４        引戸
２３ａ、２３ｂ    手掛部
２４ａ、２４ｂ    手掛部
２５              中段の棚板
２６              下段の棚板
４０              ＲＦＩＤタグ
４１              ＲＦＩＤアンテナ（読出装置）
４４              ＲＦＩＤアンテナ（読出装置）
５０              仕切板
１００            書庫
１０１            上棚収納部（収納部）
１０２            下棚収納部（収納部）
１１１            上棚指示ランプ（報知装置、照明装置、方向指示ランプ）
１１２            下棚指示ランプ（報知装置、照明装置、方向指示ランプ）
１１５            解錠ランプ（報知装置、照明装置）
１１６            スピーカ（報知装置、音響装置）
１１７            施解錠装置
２００            ラテラル
２００ａ          収納庫
２０１、２０２    引き出し（収納部）
２０３、２０４    引き出し（収納部）
２０６            上面板
２０７            背面板
２０８            底板
２０９            側面板
２１１、２１２    引き出し指示ランプ（報知装置、照明装置）
２１３、２１４    引き出し指示ランプ（報知装置、照明装置）
２１５            解錠ランプ（報知装置、照明装置）
２１６            スピーカ（報知装置、音響装置）
２１７            施解錠装置
２２０            取手
２２１            コンストンバネ
２２２            ワイヤー
２２３            テンションローラ
２２４            摺動溝
２２５            支持具
２２６            案内レール
２２７            嵌合レール
２３０            書庫
２３１            ガラス扉
２３２、２３３    横桟
２３４            横桟
２３５、２３６    手掛部
２３７            中段の棚板
２３８            上棚収納部（収納部）
２３９            下棚収納部（収納部）
２４０            上棚指示ランプ（報知装置、照明装置、方向指示ランプ）
２４１            下棚指示ランプ（報知装置、照明装置、方向指示ランプ）
３０１            中段の棚板
３０２            上棚指示ランプ（報知装置、照明装置、方向指示ランプ）
３０３            下棚指示ランプ（報知装置、照明装置、方向指示ランプ）
４０１            中段の棚板
４０２            上棚指示ランプ（報知装置、照明装置、方向指示ランプ）
４０３            下棚指示ランプ（報知装置、照明装置、方向指示ランプ）
【図１】
2005144008.tif 000003
【図２】
2005144008.tif 000004
【図３】
2005144008.tif 000005
【図４】
2005144008.tif 000006
【図５】
2005144008.tif 000007
【図６】
2005144008.tif 000008
【図７】
2005144008.tif 000009